(57)【要約】      （修正有）【課題】中心孔を備えた記録媒体ディスクが収納される扁平なディスク収納ケースにおいて、ディスクの中心孔の周縁を傷つけることなく、かつ容易にディスクの装着・取出しが行なえるディスク収納ケースを提供する。【解決手段】ディスクトレイ１０に、ディスクＤの中心孔の周囲領域には非接触状態においてディスクＤの外周縁部のみを支持する支持縁部１３を形成し、上蓋３０に、ケースの閉状態においてディスクＤの外周縁部をディスクトレイ１０の支持縁部１３に押接し得る突条３１を形成する。【選択図】図９
2006232307.tif 000002
【特許請求の範囲】
【請求項１】
開閉可能な一対のシェルハーフを備え、該一対のシェルハーフの間の空間に、中心孔を備えた記録媒体ディスクが収納される扁平なディスク収納ケースにおいて、
前記一対のシェルハーフの一方に、前記記録媒体ディスクの前記中心孔の周囲領域には非接触状態において該記録媒体ディスクの外周縁部のみを支持する外周側支持部が形成されてなることを特徴とするディスク収納ケース。
【請求項２】
前記一対のシェルハーフの他方に、前記ケースの閉状態において前記記録媒体ディスクの前記外周縁部を前記一方のシェルハーフの前記外周側支持部に押接し得る突条または突起が形成されてなることを特徴とする請求項１記載のディスク収納ケース。
【請求項３】
前記一対のシェルハーフの一方がディスクトレイであり、他方が上蓋であることを特徴とする請求項２記載のディスク収納ケース。
【請求項４】
前記ディスクトレイが、前記上蓋にヒンジ結合された下蓋と一体に形成されたものであることを特徴とする請求項３記載のディスク収納ケース。
【請求項５】
前記ディスクトレイが、前記上蓋にヒンジ結合された下蓋とは別体に形成されて該下蓋に固定されたものであることを特徴とする請求項３記載のディスク収納ケース。
【請求項６】
開閉可能な一対のシェルハーフを備え、該一対のシェルハーフの間の空間に、中心孔を備えた記録媒体ディスクが収納される扁平なディスク収納ケースにおいて、
前記一対のシェルハーフの一方に、前記記録媒体ディスクの中心孔に非クランプ状態で挿通される円筒体と、前記記録媒体ディスクの前記中心孔の周囲領域を支持する内周側支持部とが形成されてなることを特徴とするディスク収納ケース。
【請求項７】
前記一対のシェルハーフの他方に、前記ケースの閉状態において、前記記録媒体ディスクの前記中心孔の周囲領域を前記一方のシェルハーフの前記内周側支持部に押接し得る円筒体または突条または突起が形成されてなることを特徴とする請求項６記載のディスク収納ケース。
【請求項８】
前記一対のシェルハーフの一方がディスクトレイであり、他方が上蓋であることを特徴とする請求項７記載のディスク収納ケース。
【請求項９】
前記ディスクトレイが、前記上蓋にヒンジ結合された下蓋と一体に形成されたものであることを特徴とする請求項８記載のディスク収納ケース。
【請求項１０】
前記ディスクトレイが、前記上蓋にヒンジ結合された下蓋とは別体に形成されて該下蓋に固定されたものであることを特徴とする請求項８記載のディスク収納ケース。
【請求項１１】
前記ディスクトレイと前記下蓋との間に弾性部材が介装されてなることを特徴とする請求項１０記載のディスク収納ケース。
【請求項１２】
前記一対のシェルハーフの一方に、前記記録媒体ディスクの外周縁部を支持する外周側支持部がさらに形成されてなることを特徴とする請求項６または７記載のディスク収納ケース。
【請求項１３】
前記一対のシェルハーフの他方に、前記ケースの閉状態において、前記記録媒体ディスクの外周縁部を前記一方のシェルハーフの外周側支持部に押接する突条または突起が形成されてなることを特徴とする請求項１２記載のディスク収納ケース。
【発明の詳細な説明】
【技術分野】
【０００１】
本発明はディスク収納ケースに関し、特に、ＣＤ（Compact disc）、ＤＶＤ（Digital Versatile Disc）、ＢＤ（Blue-ray Disc）等の記録媒体ディスクを収納するケースに関するものである。
【背景技術】
【０００２】
従来、一般に使用されている扁平なディスク収納ケースは、内面中央部に一体に立設された円筒状のディスククランパによって記録媒体ディスク（以下「ディスク」と略称する）を着脱自在に支持するディスクトレイと、このディスクトレイを収容固定してケースの一方の主面を形成する下蓋と、この下蓋に開閉可能にヒンジ結合されて他方の主面を形成する上蓋とによって構成されている。
【０００３】
また、上記ディスクトレイが上記下蓋と一体に形成されたディスク収納ケース、あるいは上記上蓋と、ディスクトレイを兼ねる下蓋とが帯状のヒンジ部を介して一体に連接されているディスク収納ケースも従来から使用されている。
【０００４】
ところで、上述した従来のディスク収納ケースにおいては、ディスクトレイの内面中央部に一体に立設されたディスククランパをディスクの中心孔に嵌着させることによって、このディスクがディスクトレイに支持されており、ディスクを取り出すときには、ディスククランパの頂面を指で押圧することによって、ディスククランパの外径を縮小させてディスクを外すように構成されているが、このような構成には二つの問題がある。
【０００５】
第１に、ディスクをディスク収納ケースから取り出す際には、ディスクトレイに一体に形成されている円筒状のディスククランパの頂面を押しながらディスクを取り出さなければならず、その取り出すための操作が煩わしいことである。
【０００６】
第２に、ディスク収納ケースに対するディスクの装着および／または取出し時に、ディスクの中心孔の周縁を傷つける恐れがあることである。特に、特許文献１に記載されているような、２枚のディスク、または１枚のディスクと１枚のディスク状保護板とを接着剤層を介して同心的に貼り合わせた構造を有する記録媒体においては、中心孔の周囲領域が非接着部となって、２枚の薄肉の環状部分の間のスリット状の空間が中心孔の周縁を巡って開口しているため、ディスクの装着および／または取出し時に、上記開口にディスククランパの外周部が引っ掛かって上記環状部分が破損するという問題があった。
【０００７】
上記第１の問題、すなわちディスク取出し時の煩わしさを解消するために、ディスククランパの頂面を押すだけでディスクが上方へ押し上げられてディスクがクランパから外れるように構成されたディスク収納ケース（特許文献２）も提案されているが、ディスクトレイの構造が複雑化する欠点を有するのみでなく、上記第２の問題の問題は依然として解決されないままであった。
【特許文献１】特開平１１−１６２０１８号公報
【特許文献２】特開２０００−１４２８６４号公報
【発明の開示】
【発明が解決しようとする課題】
【０００８】
上述の事情に鑑み、本発明は、ディスクの中心孔の周縁を傷つけることなく容易にディスクの装着・取出しを行なうことができるディスク収納ケースを提供することを目的とするものである。
【課題を解決するための手段】
【０００９】
本願第１の発明によるディスク収納ケースは、開閉可能な一対のシェルハーフを備え、これら一対のシェルハーフの間の空間に、中心孔を備えたディスクが収納される扁平なディスク収納ケースにおいて、
上記一対のシェルハーフの一方に、上記ディスクの中心孔近傍の領域には非接触状態においてディスクの外周縁部のみを支持する外側支持部が形成されてなることを特徴とするものである。
【００１０】
上記一対のシェルハーフの他方には、ケースの閉状態において、ディスクの外周縁部を一方のシェルハーフの上記外周側支持部に押接し得る突条または突起が形成されてなることが好ましい。
【００１１】
上記一対のシェルハーフの一方をディスクトレイとし、他方を上蓋とすることができ、その場合に、上記ディスクトレイは、上記上蓋にヒンジ結合された下蓋と一体に形成されたものであっても、あるいは、上記上蓋にヒンジ結合された下蓋とは別体に形成されてこの下蓋に固定されたものであってもよい。
【００１２】
本願第２の発明は、開閉可能な一対のシェルハーフを備え、これら一対のシェルハーフの間の空間に、中心孔を備えたディスクが収納される扁平なディスク収納ケースにおいて、
上記一対のシェルハーフの一方に、上記ディスクの中心孔に非クランプ状態で挿通される円筒体と、この円筒体の周囲において上記ディスクの中心孔近傍の領域を支持する内周側支持部とが形成されてなることを特徴とするものである。
【００１３】
上記一対のシェルハーフの他方には、ケースの閉状態において、上記ディスクの中心孔近傍の領域を一方のシェルハーフの上記内周側支持部に押接し得る円筒体または突条または突起が形成されていることが好ましい。
【００１４】
この場合も、上記一対のシェルハーフの一方をディスクトレイとし、他方を上蓋とすることができ、その場合に、上記ディスクトレイは、上記上蓋にヒンジ結合された下蓋と一体に形成されたものであっても、あるいは、上記上蓋にヒンジ結合された下蓋とは別体に形成されてこの下蓋に固定されたものであってもよい。
【００１５】
上記下蓋と、この下蓋とは別体のディスクトレイとの間には弾性部材が介装されていてもよい。
【００１６】
さらに、一方のシェルハーフに、内周側支持部と外周側支持部との双方を設けることもでき、その場合には、他方のシェルハーフに、上記ディスクの中心孔近傍の領域および外周縁部をそれぞれ上記内周側支持部および外周側支持部に押接する突起または突条が形成されていることが好ましい。
【発明の効果】
【００１７】
本発明によるディスク収納ケースは、ディスクの中心孔に嵌着されるディスククランパを備えていないから、ディスクの中心孔の周縁を傷つけることなく、かつ容易にディスクの装着・取出しを行なうことができる。
【発明を実施するための最良の形態】
【００１８】
以下、図面を参照して本発明の実施の形態についた詳細に説明する。
【００１９】
図１〜図８は、本発明によるディスク収納ケースの第１の実施の形態を開状態で示す図で、図１はディスク非装着状態の斜視図、図２はディスク装着状態の斜視図、図３は図２の平面図、図４は底面図、図５は正面図、図６は左側面図、図７は右側面図、図８は図３の８−８線に沿った断面図およびその要部の拡大断面図である。また、図９はこの第１の実施の形態をケースの閉状態で示す要部の拡大断面図、図１０は図８におけるディスクトレイ側壁の変形を示す要部の拡大断面図である。
【００２０】
本実施の形態のディスク収納ケース１は、中心孔Ｄａを備えたディスクＤを着脱自在に支持するディスクトレイ１０と、このディスクトレイ１０を収容固定してケース１の一方の主面を形成する下蓋２０と、この下蓋２０に対し、開閉可能にヒンジ結合されて他方の主面を形成する上蓋３０とから構成されている。
【００２１】
図１から明らかなように、ディスクトレイ１０のディスクＤに対向する内面１１には、通常のケースにおけるような、ディスクＤの中心孔Ｄａに嵌着されるディスククランパを備えておらずに平坦面を形成している。そして、図８に示すような、ディスクＤの外周に沿って立ち上がる傾斜した側壁１２、１２の下端からそれぞれ中心方向に張り出す一対の幅の狭い円弧状の外周側支持縁部１３、１３を備えている。
【００２２】
すなわち、このディスクトレイ１０は、その支持縁部１３，１３によってディスクＤの外周縁部Ｄｂのみを支持するように構成されており、ディスクＤの中心孔Ｄａの周囲領域を含む外周縁部Ｄｂ以外の部位は、ディスクトレイ１０の内面１１に接触しないようになっている。
【００２３】
一方、上蓋３０の内面には、図１および図２から明らかなように、ディスクトレイ１０の外周側支持縁部１３，１３に対応する位置に、これら支持縁部１３，１３とほぼ同径の円弧状突条３１，３１が延設されており、これら突条３１，３１は、図９に示すように、ケース１の閉状態において、ディスクＤの外周縁部Ｄｂをディスクトレイ１０の支持縁部１３，１３上に押接する機能を有する。なお、上記突条３１に代えて、複数の突起を設けてもよい。
【００２４】
このような態様でディスクＤがディスクトレイ１０上に支持された状態において、図８に示すように、ディスクトレイ１０の上記支持縁部１３の上面に隣接する傾斜した側壁１２の下端とディスクＤの外周との間隔をａ、支持縁部１３の幅をｂ、ディスクトレイ１０の内面１１からの支持縁部１３の高さをｃとするとき、上記間隔ａは、ディスク収納時におけるケース１内でのディスクＤのガタツキによるディスクＤの外周エッジの損傷を考慮して、０．１〜２ｍｍの範囲内に設定されるのが好ましく、ディスクＤの外周エッジの削れによる磨耗粉の発生を抑制するためには、０．１〜０．５ｍｍの範囲内がさらに好ましい。
【００２５】
この場合、図１０に示すように、ディスクＤの外周に沿って立ち上がる傾斜した側壁１２に２段テーパー面１４を形成することにより、ディスクＤが側壁１２に沿って競り上がるのを抑制することができるので、ディスクＤのガタツキ防止効果を高めることができる。
【００２６】
また、上記支持縁部１３の幅ｂは、ディスクＤを確実に支持するためには、０．５ｍｍ以上が好ましいが、外径１２０ｍｍのディスクＤの記録領域の最外周の直径１１６ｍｍを考慮すれば、０．５〜２ｍｍの範囲内がさらに好ましい。
【００２７】
また、ディスクトレイ１０の内面１１からの支持縁部１３の高さｃは、ディスクＤの記録面にディスクトレイ３の内面１１が接触しないこと、ケース１に対する装着・取出しの容易性、およびケース１〜の落下しにくさ等を考慮すると、０．２〜１．６ｍｍの範囲内が好ましい。
【００２８】
以上が本発明によるディスク収納ケースの第１の実施の形態の構成であるが、ディスクＤの外周縁部Ｄｂのみを支持するように構成されているため、ディスクＤの中心孔Ｄａの周縁を傷つけることなく、かつ容易にディスクＤの装着・取出しを行なうことができる。
【００２９】
次の図１１〜図１３は、本発明によるディスク収納ケースの第２の実施の形態を示す図で、図１１は、図１に対応する開状態かつ非装着状態の斜視図、図１２はディスクを装着したディスクトレイの要部の拡大断面図、図１２はケースの閉状態で示す要部の拡大断面図である。
【００３０】
本実施の形態のディスク収納ケース２も、中心孔Ｄａを備えたディスクＤを着脱自在に支持するディスクトレイ１０と、このディスクトレイ１０を収容固定してケース１の一方の主面を形成する下蓋２０と、この下蓋２０に対し、開閉可能にヒンジ結合されて他方の主面を形成する上蓋３０とから構成されている。
【００３１】
このディスク収納ケース２は、ディスクトレイ１０の内面１１の中央部に、ディスクＤの中心孔Ｄａに非クランプ状態で挿通される円筒体１５と、ディスクＤの中心孔Ｄａの周囲領域、すなわち内周縁部Ｄｃを支持する、円筒体１５と同心状の円形の内周側支持台部１６とを備えている。
【００３２】
すなわち、このディスクトレイ１０は、図１２に示すように、その支持台部１６によってディスクＤの内周縁部Ｄｃのみを支持するように構成されており、この内周縁部Ｄｃ以外の部位は、ディスクトレイ１０に接触しないようになっている。
【００３３】
一方、上蓋３０の内面には、図１１から明らかなように、ディスクトレイ１０の円筒体１５の外径よりも大きい内径と、ディスクトレイ１０の支持台部１６の外径にほぼ等しいかこれよりも小径の外径を有する円筒体３３が突設されており、この円筒体３３は、図１３に示すように、ケース２の閉状態において、ディスクＤの内周縁部Ｄｃを、ディスクトレイ１０の円筒体１５の外側において支持台部１６上に押接する機能を有する。なお、上記円筒体３３に代えて、複数の円弧状突条または突起を設けてもよい。
【００３４】
このような態様でディスクＤがディスクトレイ１０上に支持された状態において、図１２に示すように、ディスクＤの内周と円筒体１５の外周との間の間隔をｄ、ディスクトレイ１０の内面１１と支持台部１６との間の段差をｅ、支持台部１６の外径をｆ、支持台部１６の上面からの円筒体１５の高さをｈとするとき、ディスクＤの内周縁部Ｄｃに負荷を与えないことを考慮すれば、上記間隔ｄは０．１〜１ｍｍの範囲内であることが好ましい。また、ディスクＤの半径方向へのガタツキによるディスクＤの外周面の損傷を考慮すれば、上記間隔ｄは０．１〜０．５ｍｍの範囲内であることがさらに好ましいが、上記間隔ｄが大きいほど、ディスクＤのディスクトレイ１０への装着が容易になる。
【００３５】
また、上記段差ｅは、ディスクＤの記録面にディスクトレイ１０の内面１１が接触しないこと、ケース２に対するディスクＤの装着・取出しの容易性、およびディスクＤのケース２からの落下しにくさ等を考慮すれば、０．２〜１．６ｍｍの範囲内が好ましい。
【００３６】
さらに、ディスクトレイ１０の支持台部１６の外径ｆは、ディスクＤを確実に支持することを考慮すれば、１５ｍｍ以上が好ましいが、ディスク記録面の最内周記録位置を考慮すれば、１５〜４３ｍｍの範囲内がさらに好ましい。
【００３７】
さらにディスクトレイ１０の円筒体１５の高さｈは、低すぎるとケース２を開いたときにディスクＤが落下しやすくはなるが、低い方がケース２に対するディスクＤの装着・取出しが容易になる。
【００３８】
本実施の形態によっても、ディスクＤの中心孔Ｄａの周縁を傷つけることなく容易にディスクＤの装着・取出しを行なうことができること明らかである。
【００３９】
なお、本実施の形態において、下蓋２０とディスクトレイ１０との間の空隙に弾性部材を介装させて、下蓋２０に対してディスクトレイ１０を上蓋３０側に向かって付勢することにより、収納時のディスクＤの上下ブレを抑制するようにしてもよい。
【００４０】
次の図１４は、本発明によるディスク収納ケースの第３の実施の形態を、図１および図１１に対応させて示す図である。
【００４１】
本実施の形態によるディスク収納ケース３は、そのディスクトレイ１０が、図１に示す第１の実施の形態によるディスク収納ケース１におけるディスクトレイ１０と同様の外周側支持縁部１３と、図１１に示す第２の実施の形態によるディスク収納ケース２におけるディスクトレイ１０と同様の円筒体１５および内周側支持台部１６とを備え、かつ上蓋３０が、図１に示す第１の実施の形態によるディスク収納ケース１における上蓋３０と同様の円弧状突条３１，３１と、図１１に示す第２の実施の形態によるディスク収納ケース２における上蓋３０と同様の円筒体３３とを備えて、ディスクＤの外周縁部Ｄｂと内周縁部Ｄｃとの双方を支持するようにしたものであある。
【００４２】
したがって、重複する詳細説明は省略するが、本実施の形態においては、ディスクＤの外周縁部Ｄｂと場合、図１２に示す内周側の間隔ｄを小さく（０．１〜０．５ｍｍ）、図８に示す外周側の間隔ａを大きく（０．５〜２ｍｍ）設定することが好ましい。
【００４３】
これによって、ディスクＤの半径方向のガタツキを中央部で抑制するため、ディスクＤの外周の損傷を防止することができる。またディスクＤの内外周縁部Ｄｃ，Ｄｂの双方を保持するように構成されているため、一方側のみを保持する場合に比較して、ディスクＤの反りを抑制することができる。さらに、ディスクトレイ１０の中央部の円筒体１５を目安にしてディスクＤのディスクトレイ１０への装着を行なうことができるため、外周縁部Ｄｂのみを支持する場合に比較して、ディスクＤの外周の損傷を抑制することができる。
【００４４】
なお、上述した本発明の第１〜第３の実施の形態においては、下蓋２０とは別体のディスクトレイ１０が、下蓋２０内に収容・固定された構成を有しているが、ディスクトレイ１０が、上蓋３０にヒンジ結合された下蓋２０と一体に形成されたものであってもよい。あるいは、上蓋と、ディスクトレイを兼ねる下蓋とが、帯状のヒンジ部を介して一体に連接されたものであってもよい。
【図面の簡単な説明】
【００４５】
【図１】本発明によるディスク収納ケースの第１の実施の形態を開状態かつディスク非装着状態で示す斜視図である。
【図２】本発明によるディスク収納ケースの第１の実施の形態を開状態かつディスク装着状態で示す斜視図である。
【図３】同平面図である。
【図４】同底面図である。
【図５】同正面図である。
【図６】同左側面図である。
【図７】同右側面図である。
【図８】図３の８−８線に沿った断面図およびその要部の拡大断面図である。
【図９】同ケースの閉状態で示す要部の拡大断面図である。
【図１０】図８におけるディスクトレイ側壁の変形を示す要部の拡大断面図である。
【図１１】本発明によるディスク収納ケースの第２の実施の形態を開状態かつディスク非装着状態で示す斜視図である。
【図１２】同ディスクトレイにおけるディスク装着状態を示す要部の拡大断面図である。
【図１３】同ケースの閉状態における要部の拡大断面図である。
【図１４】本発明によるディスク収納ケースの第３の実施の形態を開状態かつディスク非装着状態で示す斜視図である。
【符号の説明】
【００４６】
１，２，３    ディスク収納ケース
１０    ディスクトレイ（一方のシェルハーフ）
１２    ディスクトレイの側壁
１３    支持縁部（外周側支持部）
１５    円筒体
１６    支持台部（内周側支持部）
２０    下蓋
３０    上蓋（他方のシェルハーフ）
３１    突条
３３    円筒体
Ｄ    ディスク
Ｄａ    ディスクの中心孔
Ｄｂ    ディスクの外周縁部
Ｄｃ    ディスクの内周縁部
【図１】
2006232307.tif 000003
【図２】
2006232307.tif 000004
【図３】
2006232307.tif 000005
【図４】
2006232307.tif 000006
【図５】
2006232307.tif 000007
【図６】
2006232307.tif 000008
【図７】
2006232307.tif 000009
【図８】
2006232307.tif 000010
【図９】
2006232307.tif 000011
【図１０】
2006232307.tif 000012
【図１１】
2006232307.tif 000013
【図１２】
2006232307.tif 000014
【図１３】
2006232307.tif 000015
【図１４】
2006232307.tif 000016